【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
以下の構成成分を含む添加剤組成物：
ａ）少なくとも１つの金属不活性化剤またはキレート剤、
ｂ）少なくとも１つのヒンダードフェノール型の酸化防止剤（アルキルフェノール）、
ｃ）少なくとも１つの分散剤および／または洗浄剤、
ｉ）少なくとも１つの金属不動態化剤、
および場合によっては
ｄ）少なくとも１つの脂肪族、脂環式または芳香族アミン型の酸捕捉剤、
ｅ）少なくとも１つの低温性能添加剤、
ｆ）少なくとも１つのトレーサーまたはマーカー、
ｇ）少なくとも１つの芳香剤および／または臭気遮蔽剤および／または付香剤、
ｈ）少なくとも１つの殺生物剤。
【請求項２】
請求項１において、少なくとも１つの炭化水素有機溶媒および／または少なくとも１つの相溶化剤もしくは共溶媒を含む、添加剤組成物。
【請求項３】
請求項１および２のいずれか一項において、金属不動態化剤がトリアゾール誘導体から単独でまたは混合物として選択される、添加剤組成物。
【請求項４】
請求項３において、金属不動態化剤がトリアゾール基で置換されたアミンから単独でまたは混合物として選択される、添加剤組成物。
【請求項５】
請求項４において、金属不動態化剤が、Ｎ，Ｎ−ビス（２−エチルヘキシル）−１，２，４−トリアゾール−１−イルメタンアミン（ＣＡＳ９１２７３−０４−０）、およびＮ，Ｎ’−ビス−（２エチルヘキシル）−４−メチル−１Ｈ−ベンゾトリアゾールアミン（ＣＡＳ８０５８４−９０−３）から単独でまたは混合物として選択される、添加剤組成物。
【請求項６】
請求項１〜５のいずれか一項において、
＊金属不活性化剤またはキレート剤ａ）が、Ｎ，Ｎ’−ジサリチリデン基で置換されたアミンから選択され；
＊アルキルフェノール型の酸化防止剤ｂ）が、少なくとも１つのヒンダードフェノール基を含む分子（アルキルフェノール）から、単独でまたは混合物として選択され、
＊分散剤および／または洗浄剤ｃ）が、
置換アミン、
ポリエーテルアミン、
炭化水素鎖で置換されたフェノールとアルデヒドとアミンまたはポリアミンまたはアンモニアとの間の反応の生成物、
カルボキシル分散剤、
高分子量のハロゲン化脂肪族とアミンまたはポリアミンとの反応によって生じるアミノ化分散剤、
アルキルアクリレートまたはアルキルメタクリレート（Ｃ８〜Ｃ３０アルキル鎖）、アミノアルキルアクリレートまたはアクリルアミド、およびポリ−（オキシエチレン）基で置換されたアクリレートの重合によって得られるポリマー分散剤
から選択され；
＊場合による酸捕捉剤ｄ）が、脂肪族、脂環式および芳香族アミンから選択され；
＊場合による低温性能添加剤ｅ）が、
流動点を改良する添加剤、
低温フィルタ目詰まり点（ＣＦＰＰ）を改良する添加剤、
曇り点および／または沈殿防止を改良する添加剤、ならびに／または
パラフィン分散剤添加剤から選択され、
＊金属不動態化剤が、トリアゾール基で置換されたアミンから選択される、
添加剤組成物。
【請求項７】
請求項６において、前記金属不動態化剤が、Ｎ，Ｎ−ビス（２−エチルヘキシル）−１，２，４−トリアゾール−１−イルメタンアミン（ＣＡＳ９１２７３−０４−０）およびＮ，Ｎ’−ビス−（２エチルヘキシル）−４-メチル−１Ｈ−ベンゾトリアゾールアミン（ＣＡＳ８０５８４−９０−３）から選択される、
添加剤組成物。
【請求項８】
請求項１〜７のいずれか一項において、少なくとも、
ａ）Ｎ，Ｎ’−ジサリチリデン基で置換されたアミンから選択される、少なくとも１つの金属封鎖剤ａ）、
ｂ）少なくとも１つのヒンダードフェノール基を含む分子から単独でまたは混合物として選択される、少なくとも１つのヒンダードフェノール型の酸化防止剤ｂ）、
ｃ）少なくとも１つの分散剤および／または洗浄剤ｃ）、
ｄ）少なくとも１つのアミン型の酸捕捉剤ｄ）、
ｉ）トリアゾール基で置換されたアミンから選択される、少なくとも１つの金属不動態化剤ｉ）、
および場合によっては
ｅ）ＥＶＡコポリマーおよび／またはＶＥＯＶＡターポリマーから選択される、少なくとも１つの、低温性能を改良するための添加剤ｅ）、
ｆ）少なくとも１つのマーカーまたはトレーサーｆ）、
ｇ）以下から選択される、少なくとも１つの芳香剤および／または臭気遮蔽剤および／または付香剤：
＊下記式（Ｉ）の有機三環式化合物である、EP1,591,514に記載の有機三環式化合物
【化１】
2014522898.tif 000001
［式中、シクロペンタン環は飽和または不飽和であり、Ｒ１、Ｒ２、Ｒ３は、同一であるか異なって、水素、および１〜１０個の炭素原子と場合によっては１つまたは複数のヘテロ原子とを含む炭化水素基から選択される］
ならびに
＊脂肪族または芳香族アルデヒド、
＊脂肪族または芳香族エステル、
＊アルコール、
＊ケトン、
＊精油
＊上記に記載された化合物の混合物、ならびに／または
ｈ）少なくとも１つの殺生物添加剤ｈ）、
を含む、添加剤組成物。
【請求項９】
請求項８において、分散剤および／または洗浄剤ｃ）が、ＰＩＢＳＩから選択される、添加剤組成物。
【請求項１０】
請求項８または９において、芳香剤および／または臭気遮蔽剤および／または付香剤ｇ）が、少なくとも１つの有機三環式化合物と、アルデヒド、エステル、水酸化物、ケトンおよび精油から選択される少なくとも１つと、の混合物から選択される、添加剤組成物。
【請求項１１】
請求項８〜１０のいずれか一項において、
分散剤および／または洗浄剤ｃ）が、ＰＩＢＳＩから選択され；かつ
芳香剤および／または臭気遮蔽剤および／または付香剤ｇ）が、少なくとも１つの有機三環式化合物と、アルデヒド、エステル、水酸化物、ケトンおよび精油から選択される少なくとも１つと、の混合物から選択される、添加剤組成物。
【請求項１２】
請求項８〜１１のいずれか一項において、
芳香剤および／または臭気遮蔽剤および／または付香剤ｇ）が、アルデヒド、エステル、水酸化物、ケトンおよび精油から選択される少なくとも１つであって、
前記アルデヒドが、バニリンから選択され、
前記エステルが、ベンジルアセテートから選択され、
前記アルコールが、リナロオールおよびフェニルエチルアルコールから選択され、
前記ケトンが、結晶化ショウノウおよびエチルマルトールから選択され、
前記精油が、柑橘類果実由来の精油から選択される、
添加剤組成物。
【請求項１３】
請求項１〜１２のいずれか一項において、
・０．１〜５質量％の金属封鎖剤ａ）、
・１〜３０質量％のヒンダードフェノール型の酸化防止剤（アルキルフェノール）ｂ）、
・０．５〜２０質量％の分散剤および／または洗浄剤ｃ）、
・０〜２０質量％の酸捕捉剤ｄ）、
・０〜３０質量％の低温性能添加剤ｅ）、
・０〜５質量％のトレーサーｆ）、
・０〜１０質量％の芳香剤および／または臭気遮蔽剤および／または付香剤ｇ）、
・０〜２０質量％の殺生物剤ｈ）、
・５質量％までの金属不動態化剤ｉ）、
・１０〜８０質量％の炭化水素有機溶媒、
・１０〜６０質量％の相溶化剤または共溶媒
を含む、添加剤組成物。
【請求項１４】
請求項１３において、
・１〜２質量％の金属封鎖剤ａ）、
・２．５〜１０質量％のヒンダードフェノール型の酸化防止剤（アルキルフェノール）ｂ）、
・１〜１０質量％の分散剤および／または洗浄剤ｃ）、
・０．５〜２０質量％の酸捕捉剤ｄ）、
・１０〜２０質量％の低温性能添加剤ｅ）、
・０．２〜５質量％のトレーサーｆ）、
・２〜５質量％の芳香剤および／または臭気遮蔽剤および／または付香剤ｇ）、
・５〜１０質量％の殺生物剤ｈ）、
・０．１〜５質量％の金属不動態化剤ｉ）、
・２０〜５０質量％の炭化水素有機溶媒、
・２０〜４０質量％の相溶化剤または共溶媒
を含む、添加剤組成物。
【請求項１５】
構成成分ａ）〜ｃ）および構成成分ｉ）、ならびに場合によっては構成成分ｅ）〜ｈ）および／または溶媒および／または相溶化剤および／または他の構成成分を、１段階または複数段階で、混合することによる、請求項１〜１４のいずれか一項に記載の組成物を調製するための方法。
【請求項１６】
請求項１５において、構成成分ａ）〜ｃ）および構成成分ｉ）、ならびに場合によっては構成成分ｅ）〜ｈ）および／または溶媒および／または相溶化剤および／または他の構成成分を、周囲温度において混合することによる、方法。
【請求項１７】
・１５０℃と３８０℃との間に含まれる蒸留温度を有する液体炭化水素に基づく混合物である主部分；
・請求項１〜１４のいずれか一項に記載の少なくとも１つの添加剤組成物と場合によっては本発明の添加剤組成物の添加剤以外の１つまたは複数の他の添加剤とを含む副部分
を含む、軽油型の液体燃料組成物。
【請求項１８】
請求項１７において、１００〜２０００質量ｐｐｍの、請求項１〜１４のいずれか一項に記載の添加剤組成物を含む、軽油型の液体燃料組成物。
【請求項１９】
請求項１７および１８のいずれか一項において、他の添加剤が、潤滑添加剤または摩耗防止添加剤、燃焼改良剤、消泡剤、腐蝕防止剤、および洗浄剤から選択されることを特徴とする、軽油型の液体燃料組成物。
【請求項２０】
請求項１７〜１９のいずれか一項において、他の添加剤が５０〜１５００質量ｐｐｍの範囲の量で組み込まれることを特徴とする、軽油型の液体燃料組成物。
【請求項２１】
請求項１７〜２０のいずれか一項において、少なくとも７容量部の少なくとも１つの再生可能起源の製品を含む、ノンロード軽油型の液体燃料組成物。
【請求項２２】
請求項２１において、再生可能起源の製品が本質的にまたは専ら動物起源または植物起源の脂肪酸エステルから選択される、ノンロード軽油型の液体燃料組成物。
【手続補正２】
【補正対象書類名】明細書
【補正対象項目名】０１１１
【補正方法】変更
【補正の内容】
【０１１１】
したがって、これらの結果は、本発明の軽油組成物Ｇ１が非汚損性を有することを示している。その上、添加剤組成物Ｆ３は、亜鉛の存在下で軽油燃料に取り入れた場合に堆積物を防止する能力が高い点でも注目に値する。なお、本発明は、実施の態様として以下の内容を含む。
〔態様１〕
以下の構成成分を含む添加剤組成物：
ａ）少なくとも１つの金属不活性化剤またはキレート剤、
ｂ）少なくとも１つのヒンダードフェノール型の酸化防止剤（アルキルフェノール）、
ｃ）少なくとも１つの分散剤および／または洗浄剤、
ｉ）少なくとも１つの金属不動態化剤、
および場合によっては
ｄ）少なくとも１つの脂肪族、脂環式または芳香族アミン型の酸捕捉剤、
ｅ）少なくとも１つの低温性能添加剤、
ｆ）少なくとも１つのトレーサーまたはマーカー、
ｇ）少なくとも１つの芳香剤および／または臭気遮蔽剤および／または付香剤、
ｈ）少なくとも１つの殺生物剤。
〔態様２〕
態様１において、少なくとも１つの炭化水素有機溶媒および／または少なくとも１つの相溶化剤もしくは共溶媒を含む、添加剤組成物。
〔態様３〕
態様１および２のいずれか一態様において、金属不動態化剤がトリアゾール誘導体から単独でまたは混合物として選択される、添加剤組成物。
〔態様４〕
態様３において、金属不動態化剤がトリアゾール基で置換されたアミンから単独でまたは混合物として選択される、添加剤組成物。
〔態様５〕
態様４において、金属不動態化剤が、Ｎ，Ｎ−ビス（２−エチルヘキシル）−１，２，４−トリアゾール−１−イルメタンアミン（ＣＡＳ９１２７３−０４−０）、およびＮ，Ｎ’−ビス−（２エチルヘキシル）−４−メチル−１Ｈ−ベンゾトリアゾールアミン（ＣＡＳ８０５８４−９０−３）から単独でまたは混合物として選択される、添加剤組成物。
〔態様６〕
態様１〜５のいずれか一態様において、
＊金属不活性化剤またはキレート剤ａ）が、Ｎ，Ｎ’−ジサリチリデン基で置換されたアミン（例えばＮ，Ｎ’−ジサリチリデン１，２−ジアミノプロパン（ＤＭＤ））から選択され；
＊アルキルフェノール型の酸化防止剤ｂ）が、少なくとも１つのヒンダードフェノール基を含む分子（アルキルフェノール）から、単独でまたは混合物として選択され、
＊分散剤および／または洗浄剤ｃ）が、
置換アミン、
ポリエーテルアミン、
炭化水素鎖で置換されたフェノールとアルデヒドとアミンまたはポリアミンまたはアンモニアとの間の反応の生成物、
カルボキシル分散剤、
高分子量のハロゲン化脂肪族とアミンまたはポリアミンとの反応によって生じるアミノ化分散剤、
アルキルアクリレートまたはアルキルメタクリレート（Ｃ８〜Ｃ３０アルキル鎖）、アミノアルキルアクリレートまたはアクリルアミド、およびポリ−（オキシエチレン）基で置換されたアクリレートの重合によって得られるポリマー分散剤
から選択され；
＊場合による酸捕捉剤ｄ）が、脂肪族、脂環式および芳香族アミン（好ましくはジメチルシクロヘキシルジアミン）から選択され；
＊場合による低温性能添加剤ｅ）が、
流動点を改良する添加剤、
低温フィルタ目詰まり点（ＣＦＰＰ）を改良する添加剤、
曇り点および／または沈殿防止を改良する添加剤、ならびに／または
パラフィン分散剤添加剤から選択され、
＊金属不動態化剤が、トリアゾール基で置換されたアミン（例えばＮ，Ｎ−ビス（２−エチルヘキシル）−１，２，４−トリアゾール−１−イルメタンアミン（ＣＡＳ９１２７３−０４−０）およびＮ，Ｎ’−ビス−（２エチルヘキシル）−４-メチル−１Ｈ−ベンゾトリアゾールアミン（ＣＡＳ８０５８４−９０−３））から選択される、
添加剤組成物。
〔態様７〕
態様１〜６のいずれか一態様において、少なくとも、
ａ）Ｎ，Ｎ’−ジサリチリデン基で置換されたアミン（例えばＮ，Ｎ’−ジサリチリデン１，２−ジアミノプロパン（ＤＭＤ））から選択される、少なくとも１つの金属封鎖剤ａ）、
ｂ）少なくとも１つのヒンダードフェノール基を含む分子から単独でまたは混合物として選択される、少なくとも１つのヒンダードフェノール型の酸化防止剤ｂ）、
ｃ）（好ましくはＰＩＢＳＩから選択される）少なくとも１つの分散剤および／または洗浄剤ｃ）、
ｄ）少なくとも１つのアミン型の酸捕捉剤ｄ）、
ｉ）（ベンゾトリアゾール、トルイルトリアゾールなどの）トリアゾール基で置換されたアミンから選択される、少なくとも１つの金属不動態化剤ｉ）、
および場合によっては
ｅ）ＥＶＡコポリマーおよび／またはＶＥＯＶＡターポリマーから選択される、少なくとも１つの、低温性能を改良するための添加剤ｅ）、
ｆ）少なくとも１つのマーカーまたはトレーサーｆ）、
ｇ）以下から選択される、少なくとも１つの芳香剤および／または臭気遮蔽剤および／または付香剤ｇ）：
＊下記式（Ｉ）の有機三環式化合物である、EP1,591,514に記載の有機三環式化合物
【化６】
2014522898.tif 000002
［式中、シクロペンタン環は飽和または不飽和であり、Ｒ１、Ｒ２、Ｒ３は、同一であるか異なって、水素、および１〜１０個の炭素原子と場合によっては１つまたは複数のヘテロ原子とを含む炭化水素基から選択される］
ならびに
＊脂肪族または芳香族アルデヒド（例えばバニリン）、
＊脂肪族または芳香族エステル（例えばベンジルアセテート）、
＊アルコール（例えばリナロオール、フェニルエチルアルコール）、
＊ケトン（例えば結晶化ショウノウ、エチルマルトール）、
＊精油（例えば柑橘類果実由来の精油）
＊上記に記載された化合物の混合物、ならびに／または
ｈ）少なくとも１つの殺生物添加剤ｈ）、
（ならびに好ましくは、少なくとも１つの有機三環式化合物と、少なくとも１つのアルデヒド、エステル、水酸化物、ケトン、精油との混合物）
を含む、添加剤組成物。
〔態様８〕
態様１〜７のいずれか一態様において、
・０．１〜５質量％（好ましくは１〜２質量％）の金属封鎖剤ａ）、
・１〜３０質量％（好ましくは２．５〜１０質量％）のヒンダードフェノール型の酸化防止剤（アルキルフェノール）ｂ）、
・０．５〜２０質量％（好ましくは１〜１０質量％）の分散剤および／または洗浄剤ｃ）、
・０〜２０質量％（好ましくは０．５〜２０質量％、有利には１〜１０質量％）の酸捕捉剤ｄ）、
・０〜３０質量％（好ましくは１０〜２０質量％）の低温性能添加剤ｅ）、
・０〜５質量％（好ましくは０．２〜５質量％）のトレーサーｆ）、
・０〜１０質量％（好ましくは２〜５質量％）の芳香剤および／または臭気遮蔽剤および／または付香剤ｇ）、
・０〜２０質量％（好ましくは５〜１０質量％、有利には１〜２質量％）の殺生物剤ｈ）、
・５質量％まで（好ましくは０．１〜５質量％、より好適には０．５〜３．５質量％）の金属不動態化剤ｉ）、
・１０〜８０質量％（好ましくは２０〜５０質量％）の炭化水素有機溶媒、
・１０〜６０質量％（好ましくは２０〜４０質量％）の相溶化剤または共溶媒
を含む、添加剤組成物。
〔態様９〕
構成成分ａ）〜ｃ）および構成成分ｉ）、ならびに場合によっては構成成分ｅ）〜ｈ）および／または溶媒および／または相溶化剤および／または他の構成成分を、１段階または複数段階で、（好ましくは周囲温度において）混合することによる、態様１〜８のいずれか一態様に記載の組成物を調製するための方法。
〔態様１０〕
・１５０℃と３８０℃との間に含まれる蒸留温度を有する液体炭化水素に基づく混合物である主部分；
・態様１〜８のいずれか一態様に記載の少なくとも１つの添加剤組成物と場合によっては本発明の添加剤組成物の添加剤以外の１つまたは複数の他の添加剤とを含む副部分
を含む、軽油型の液体燃料組成物。
〔態様１１〕
態様１０において、１００〜２０００質量ｐｐｍ（好ましくは２５０〜１０００質量ｐｐｍ）の、態様１〜８のいずれか一態様に記載の添加剤組成物を含む、軽油型の液体燃料組成物。
〔態様１２〕
態様１０および１１のいずれか一態様において、他の添加剤が、潤滑添加剤または摩耗防止添加剤、燃焼改良剤、消泡剤、腐蝕防止剤、および洗浄剤から選択されることを特徴とする、軽油型の液体燃料組成物。
〔態様１３〕
態様１０〜１２のいずれか一態様において、他の添加剤が５０〜１５００質量ｐｐｍの範囲の量で組み込まれることを特徴とする、軽油型の液体燃料組成物。
〔態様１４〕
態様１０〜１３のいずれか一態様において、少なくとも７容量部の少なくとも１つの再生可能起源の製品を含む、ノンロード軽油型の液体燃料組成物。
〔態様１５〕
態様１４において、再生可能起源の製品が本質的にまたは専ら動物起源または植物起源の脂肪酸エステルから選択される、ノンロード軽油型の液体燃料組成物。